(57)【要約】【課題】ＶＣＸＯの水晶振動子に接続されたバリキャップと、制御電圧印加用の抵抗による浮遊容量によって水晶振動子の容量比γを小さくできない。【解決手段】水晶基板１１の一方の主面をエッチングによって凹陥せしめ、該凹陥部１２ａの底面を超薄肉の振動部１２ｂとし、該振動部１２ｂの外周を全周にわたって支持する肉厚の環状囲繞部１２ｃを形成する。振動部１２ｂの両面に励振電極を形成する。環状囲繞部１２ｃ上に抵抗３とバリキャップ４を装着する。【選択図】図２
2005026846.tif 000002
【特許請求の範囲】
【請求項１】
一方の主面を凹陥せしめ、該凹陥部の底面を振動部として、該振動部の外周を全周にわたって肉厚の環状囲繞部を形成して前記振動部を支持した圧電基板の前記振動部の両面に励振電極を形成した圧電振動素子の出力を、外部接続電極を有する容器の前記外部接続電極から取出す構造の圧電振動子であって、
前記環状囲繞部上にチップ化された抵抗体及び可変容量素子のそれぞれ端子電極を設けて固着し、前記抵抗体の一方の端子電極と前記可変容量素子の一方の端子電極との接続点と前記凹陥部の底面の振動部に形成された励振電極から延出するリード電極とを接続するとともに、前記振動部の他の面に設けられた励振電極から延出するリード電極と前記抵抗体及び前記可変容量素子のそれぞれの他方の端子電極から延出するリード電極とを前記外部接続電極に接続したことを特徴とする圧電振動子の構造。
【請求項２】
前記圧電基板が水晶基板であることを特徴とする請求項１記載の圧電振動子の構造。
【発明の詳細な説明】
【０００１】
【発明の属する技術分野】
本発明は、水晶振動子に関し、特に可変周波数範囲を広く取ることができる構造を有する水晶振動子に関する。
【０００２】
【従来の技術】
近年、各種伝送通信機器あるいはＯＡ機器の高速処理化、高性能化に伴い、その周波数制御デバイスである圧電振動子、例えば周波数安定度の高い水晶振動子を使用した発振器の高周波化、小型化、高信頼性化が強く要求されている。        図３は、従来の電圧制御水晶発振器の一例を示す電気回路図である。同図に示すように、本電圧制御水晶発振器（以下、ＶＣＸＯという）は、抵抗ｒと水晶振動子２１と可変容量ダイオード（以下、バリキャップという）Ｄと発振回路２２とで構成される。
【０００３】
同図において、前記ＶＣＸＯは、抵抗ｒを介して制御電圧Ｖｃを水晶振動子２１に直列接続されたバリキャップＤに印加し、該バリキャップＤの容量を所定の値に変化させることによって、該バリキャップＤと水晶振動子２１と発振回路２２とで構成される水晶発振器の発振ループの負荷容量を変化させて発振器出力（ＯＵＴ）の周波数を制御するものである。
【０００４】
図４は、前記水晶振動子２１の構造例を示す外形図で、（ａ）は縦断面図、（ｂ）は上蓋を開放した平面図である。同図に示すように、本水晶振動子２１は、両主面に励振電極２３ａ、２３ｂを備えた水晶振動素子２４を、内底面にパッド電極２５ａ、２５ｂを備え、外底面に外部接続電極２６ａ、２６ｂを備えたセラミック容器２７の前記パッド電極２５ａ、２５ｂに導電性接着剤２８ａ、２８ｂで固着し、外蓋２９で蓋して密封した構造を有している。
【０００５】
図５は、前記水晶振動素子２４の細部構造を示す外形斜視図で、（ａ）は凹陥部を有する一方の主面、（ｂ）は他方の主面である。
前記水晶振動素子２４は、ＡＴカットの水晶基板の厚みすべり振動を利用した振動子であって、その共振周波数は振動部の板厚に反比例することから、機械的強度を保ちつつ高周波化を図るために、同図（ａ）に示すように、水晶基板３０の一方の主面をエッチングによって凹陥せしめ、該凹陥部３１ａの底面を超薄肉の振動部３１ｂとすると共に、該振動部３１ｂの外周を全周にわたって支持する肉厚の環状囲繞部３１ｃを形成して前記振動部３１ｂと一体化したものである。
更に、前記一方の主面（凹面）の振動部３１ｂに前記励振電極２３ａと該励振電極２３ａより延出するリード電極３２ａとパッド電極３３ａとが、電極材の蒸着によって形成される。
【０００６】
また、同図（ｂ）に示すように、本水晶振動素子２４は、他方の主面、即ち前記一方の主面（凹面）の裏面（平坦面）の振動部３１ｂに、前記励振電極２３ｂと該励振電極２３ｂより延出するリード電極３２ｂとパッド電極３３ｂとが、電極材の蒸着によって形成される。
上記構造の水晶振動素子２４は、前記パッド電極３３ａ、３３ｂとそれぞれに対応するセラミック容器２７の内底面に設けられた前記パッド電極２５ａ、２５ｂとが固着接続される。
【０００７】
前述のようにセラミック容器２７に密封された水晶振動子２１と、チップ化された抵抗ｒとバリキャップＤと、ＩＣチップの発振回路２２とは、例えばプリント配線基板にはんだ付けされ、さらに前記プリント配線基板をケースに収容してＶＣＸＯとして構成される。
【０００８】
【発明が解決しようとする課題】
一般に、水晶振動子の電気的等価回路を、図６ように等価直列インダクタンスＬ１、等価直列容量Ｃ１、等価直列抵抗Ｒ１、電極間の誘電体としての静電容量Ｃ０、両電極に加わる浮遊容量Ｃｔで表わしたとき、この水晶振動子を用いて発振器を構成ときの発振周波数の可変範囲は、容量比γ＝（Ｃ０＋Ｃｔ）／Ｃ１に逆比例することは周知のとおりである。
そして、水晶振動子の設計において、発振周波数の可変範囲を大きくするためには、励振電極の面積を小さくすることによって容量比を小さくする手法が取られるのが一般的である。
しかしながら、発振器の発振周波数が高周波化（例えば、基本波３００〜６００ＭＨｚ）して、使用される水晶振動子の電極面積が小さくなってＣ０が小さくなったとしても、浮遊容量Ｃｔ、即ち図３の水晶振動子の端子ａ、ｂに接続される抵抗ｒ、バリキャップＤ、発振回路２２等によって生ずる浮遊容量によって、容量比γ＝（Ｃ０＋Ｃｔ）／Ｃ１を小さくして周波数の可変範囲を大きくするには限界があるという問題があった。
本発明は、上記課題を解決するためになされたものであって、水晶振動子の電極に加わる浮遊容量を低くして容量比γを小さくできる水晶振動子の構造を提供することを目的とする。
【０００９】
【課題を解決するための手段】
上記課題を解決するため、請求項１の発明においては、一方の主面を凹陥せしめ、該凹陥部の底面を振動部として、該振動部の外周を全周にわたって肉厚の環状囲繞部を形成して前記振動部を支持した圧電基板の前記振動部の両面に励振電極を形成した圧電振動素子の出力を、外部接続電極を有する容器の前記外部接続電極から取出す構造の圧電振動子であって、
前記環状囲繞部上にチップ化された抵抗体及び可変容量素子をそれぞれ端子電極を設けて固着し、前記抵抗体の一方の端子電極と前記可変容量素子の一方の端子電極との接続点と前記凹陥部の底面の振動部に形成された励振電極から延出するリード電極とを接続するとともに、
前記振動部の他の面に設けられた励振電極から延出するリード電極と前記抵抗体及び前記可変容量素子のそれぞれの他方の端子電極から延出するリード電極とを前記外部接続電極に接続したことを特徴とする。
また、請求項２の発明においては、請求項１の発明のであって、前記圧電基板が水晶基板であることを特徴とする。
【００１０】
【発明の実施の形態】
以下、本発明を図面に示した実施の形態に基づいて説明する。
図１は、本発明に係わるの圧電振動子としての水晶振動子の実施の一形態例を示す外形図で、（ａ）は縦断面図、（ｂ）は上蓋を開放した平面図である。
同図に示すように、本水晶振動子１は、励振電極２ａ、２ｂと抵抗３とバリキャップ４とを備えた水晶振動素子５を、内底面にパッド電極６ａ、６ｂ、６ｃを備え、外底面に外部接続電極７ａ、７ｂ、７ｃを備えたセラミック容器８の前記パッド電極６ａ、６ｂ、６ｃに導電性接着剤９ａ、９ｂ、９ｃで固着し、外蓋１０で密封した構造を有している。
【００１１】
図２は、前記水晶振動素子５の細部構造を示す外形斜視図で、（ａ）は凹陥部を有する一方の主面、（ｂ）は他方の主面である。
前記水晶振動素子５は、  同図（ａ）に示すように、水晶基板１１の一方の主面をエッチングによって凹陥せしめ、該凹陥部１２ａの底面を超薄肉の振動部１２ｂとすると共に、該振動部１２ｂの外周を全周にわたって支持する肉厚の環状囲繞部１２ｃを形成して前記振動部１２ｂと一体化したものである。
更に、前記一方の主面の振動部１２ｂには前記励振電極２ａと該励振電極２ａより延出するリード電極１３ａとが、電極材の蒸着によって形成される。
【００１２】
また、前記環状囲繞部１２ｃ上の一辺にはエッチングによって凹部１４が形成され、該凹部１４に前記リード電極１３ａと同時にパッド電極１５ａ、１５ｂ、１５ｃが形成される。そして、前記パッド電極１５ａ、１５ｂ間に抵抗３、前記パッド電極１５ｂ、１５ｃ間にバリキャップ４とが、それぞれ導電性接着剤（図示しない）によって固着される。
なお、前記パッド電極１５ｂには前記励振電極２ａより延出するリード電極１３ａが接続される。
水晶基板１１縁端に向けて伸びた前記パッド電極１５ａの電極端部及びパッド電極１５ｃの電極端部は、前述のようにそれぞれセラミック容器８内底面のパッド電極６ａ、６ｂに導電性接着剤９ａ、９ｂで固着接続される。
【００１３】
また、本水晶振動素子５の他方の主面、即ち前記一方の主面の裏面の振動部１２ｂには、前記励振電極２ｂと該励振電極２ｂより延出するリード電極１３ｂとパッド電極１６とが、電極材の蒸着によって形成される。
そして、前記パッド電極１６とセラミック容器８内底面のパッド電極６ｃとが導電性接着剤９ｃで固着接続される。
上述のように、励振電極部と可変容量素子と抵抗とを一つの水晶基板上に構成した水晶振動素子５をセラミック容器８に収容した水晶振動子１を用いることによって、図３に示されるＶＣＸＯの水晶振動子２１のａ端に加わる浮遊容量は大幅に低減することが出きる。
【００１４】
【発明の効果】
以上説明したように、本発明によれば、１枚の水晶基板の上にＶＣＸＯの発振ループを構成する水晶振動子の励振電極とバリキャップと、更に前記バリキャップに制御電圧を印加する抵抗とを装着するようにしたので、水晶振動子に付加される浮遊容量（  Ｃｔ  ）を大幅に低減することができる。このため、高い共振周波数の水晶振動子において、容量比γ＝（Ｃ０＋Ｃｔ）／Ｃ１を小さくして周波数の可変範囲を大きく広げることができる。
さらに、従来、印刷配線基板等に水晶振動子、抵抗、バリキャップをそれぞれ別個に装着していたために周囲のノイズを拾いやすかったものが、抵抗、バリキャップを水晶振動子の容器に収容するようにしたため、そのシールド効果で回路のＣ／Ｎが改善されるという効果も得られる。
したがって、本発明によれば、優れた性能を有するＶＣＸＯを提供することができる。
【図面の簡単な説明】
【図１】本発明に係わるの圧電振動子としての水晶振動子の実施の一形態例を示す外形図で、（ａ）は縦断面図、（ｂ）は上蓋を開放した平面図。
【図２】水晶振動素子５の細部構造を示す外形斜視図で、（ａ）は凹陥部を有する一方の主面、（ｂ）は他方の主面。
【図３】従来の電圧制御水晶発振器の一例を示す電気回路図。
【図４】水晶振動子２１の構造例を示す外形図で、（ａ）は縦断面図、（ｂ）は上蓋を開放した平面図。
【図５】水晶振動素子２２の細部構造を示す外形斜視図で、（ａ）は凹陥部を有する一方の主面、（ｂ）は他方の主面。
【図６】水晶振動子の電気的等価回路。
【符号の説明】
１・・水晶振動子、        ２ａ、２ｂ、、励振電極、        ３・・抵抗、
４・・バリキャップ、    ５・・水晶振動素子、
６ａ、６ｂ、６ｃ・・パッド電極、    ７ａ、７ｂ、７ｃ・・外部接続電極、
８・・セラミック容器、        ９ａ、９ｂ、９ｃ・・導電性接着剤、
１０・・外蓋、１１・・水晶基板、１２ａ・・凹陥部、１２ｂ・・振動部、
１２ｃ・・環状囲繞部、１３ａ、１３ｂ・・リード電極、１４・・凹部
１５ａ、１５ｂ、１５ｃ・・パッド電極、１６・・パッド電極、
２１・・水晶振動子、２２・・発振回路、２３ａ、２３ｂ・・励振電極、
２４・・水晶振動素子、            ２５ａ、２５ｂ・・パッド電極、
２６ａ、２６ｂ・・外部接続電極、    ２７・・セラミック容器、
２８・・導電性接着剤、        ２９・・外蓋、        ３０・・水晶基板、
３１ａ・・凹陥部、    ３１ｂ・・振動部、    ３１ｃ・・環状囲繞部、
３２ａ、３２ｂ・・リード電極、    ３３ａ、３３ｂ・・パッド電極、
Ｃ０・・静電容量、      Ｃ１・・等価直列容量、      Ｃｔ・・浮遊容量、
Ｄ・・可変容量ダイオード（バリキャップ）、
Ｌ１・・等価直列インダクタンス、  Ｒ１・・等価直列抵抗、  ｒ・・抵抗
【図１】
2005026846.tif 000003
【図２】
2005026846.tif 000004
【図３】
2005026846.tif 000005
【図４】
2005026846.tif 000006
【図５】
2005026846.tif 000007
【図６】
2005026846.tif 000008